(57)【要約】      （修正有）【課題】外部から食べ物の加熱状態を観察できると共に、活動仕切り板を本体から取り出して洗うことができるトースターを提供する。【解決手段】本体の内に作業筐体と加熱筐体１１０を有し、本体の側面には第一開口１２０が、底部には少なくとも一つの第二開口がそれぞれ設けられ、作業筐体と加熱筐体が互いに連通されると共に、本体の中には第二開口の個数と同じ個数の縦溝が設けられ、縦溝が第二開口から延伸される。また、少なくとも一つの透明の活動仕切り板１３０が設けられ、活動仕切り板が縦溝に滑って連結されて、活動仕切り板の側面が第一開口に嵌合される。さらに少なくとも一つの位置決め部１５０が取り外し可能に設けられ、位置決め部が本体と噛み合って連結されることによって活動仕切り板を支える。【選択図】図３
0003188000.tif 000002
【実用新案登録請求の範囲】
【請求項１】
一つの本体の内に一つの作業筐体と一つの加熱筐体を有して、且つ前記本体の側面に一つの第一開口が設けられ、前記本体の底部に少なくとも一つの第二開口が設けられ、前記作業筐体と前記加熱筐体が互いに連通され、前記本体の中に第二開口の個数と同じような個数の縦溝が設けられ、前記縦溝が第二開口から延伸されて、少なくとも一つの活動仕切り板が設けられ、前記活動仕切り板が縦溝に滑って連結されて、活動仕切り板の側面が前記第一開口に対応されて、少なくとも一つの位置決め部が設けられ、前記位置決め部が本体と噛み合って連結されることによって位置決めされてまたは活動仕切り板を支えるようにしたことを特徴とするトースター。
【請求項２】
前記第二開口が前記本体の底面又は上面又は左側面又は右側面に設置されるようにしたことを特徴とする請求項１に記載のトースター。
【請求項３】
前記本体に一つの底部を有し、前記位置決め部に一つの取っ手と、前記取っ手に活動的に連接される一つの噛合い部とを有し、前記噛合い部を回転して噛合い部と底部との噛合い又は分離が実現されて、前記活動仕切り板が前記取っ手に固定連接されるようにしたことを特徴とする請求項１に記載のトースター。
【請求項４】
前記噛合い部が取っ手との間に一つの弾性部を設けられるようにしたことを特徴とする請求項３に記載のトースター。
【請求項５】
前記噛合い部がＺ形に設けられるようにしたことを特徴とする請求項３に記載のトースター。
【請求項６】
前記本体の底部に一つの凹溝が設けられ、前記位置決め部が前記凹溝に嵌合されるようにしたことを特徴とする請求項２に記載のトースター。
【請求項７】
前記活動仕切り板がガラスに設けられるようにしたことを特徴とする請求項１〜請求項６のいずれか１項に記載のトースター。
【請求項８】
前記第二開口の個数が一つ設けられて、前記活動仕切り板が一つ設けられるようにしたことを特徴とする請求項２に記載のトースター。
【請求項９】
前記第二開口の個数が二つ設けられて且つそれぞれ本体の底面と上面又は左側面と右側面に設置されて、前記活動仕切り板が二つ設けられるようにしたことを特徴とする請求項２に記載のトースター。
【考案の詳細な説明】
【技術分野】
【０００１】
本考案はトースターに関する。
【背景技術】
【０００２】
従来のトースターには非透明素材を採用し、ユーザーは作業の状態が観察されず、しかもその加熱筐体仕切り板がガラス材質に設けられ、トースターの中の食べ物が観察されるが、その加熱筐体仕切り板が解体されず又も取り出されず、仕切り板の上に殘っている汚れや油汚れを洗浄することに実現されないので、改善の必要がある。
【考案の概要】
【考案が解決しようとする課題】
【０００３】
本考案は提案したトースターとして、その背景技術の不足を克服している。その課題を解決するための手段は以下を含む。
【課題を解決するための手段】
【０００４】
一つの本体の内に一つの作業筐体と一つの加熱筐体を有して、且つ当本体の側面に一つの第一開口が設けられ、当本体に少なくとも一つの第二開口が設けられて、当作業筐体と当加熱筐体が互いに連通されて、当本体の中に第二開口の個数と同じような個数の縦溝が設けられ、当縦溝が当第二開口から延伸されて、少なくとも一つの透明の活動仕切り板が設けられ、当活動仕切り板が縦溝に連結されて、前記活動仕切り板の側面が前記第一開口に対応されて、少なくとも一つの位置決め部が設けられ、当位置決め部が本体と噛み合って連結されることによって位置決めされてまたは活動仕切り板を支えるようにしたトースター。
【０００５】
比較的好ましい一実施例では、前記第二開口が本体の底面又は上面又は左側面又は右側面に設置される。
【０００６】
比較的好ましい一実施例では、前記本体に一つの底部を有し、前記位置決め部に一つの取っ手と、当取っ手に活動的に連接される一つの噛合い部と、を有し、前記噛合い部を回転して噛合い部と底部との噛合い又は分離が実現されて、前記活動仕切り板が前記取っ手に固定連接される。
【０００７】
比較的好ましい一実施例では、前記噛合い部が取っ手との間に一つの弾性部も設けられる。
【０００８】
比較的好ましい一実施例では、前記噛合い部がＺ形に設けられる。
【０００９】
比較的好ましい一実施例では、前記本体の底部に一つの凹溝も設けられ、前記位置決め部が前記凹溝に嵌合される。
【００１０】
比較的好ましい一実施例では、前記活動仕切り板がガラスに設けられる。
【００１１】
比較的好ましい一実施例では、前記第二開口の個数が一つ設けられ、前記活動仕切り板が一つ設けられる。
【００１２】
比較的好ましい一実施例では、前記第二開口の個数が二つ設けられて且つそれぞれ本体の底面又は上面又は左側面又は右側面に設置されて、前記活動仕切り板が二つ設けられる。
【考案の効果】
【００１３】
本考案は背景技術と比べて次の優れた点を持っている。
【００１４】
第一に、透明の活動仕切り板の側面が第一開口に対応されて、第一開口と活動仕切り板によってトースターの外部から食べ物が観察されて、ユーザーに食べ物の加熱状態を了解させる。活動仕切り板が縦溝に滑って連結されて、位置決め部によって位置決めされ、活動仕切り板が本体の内から取り出されて洗えるので、健康や清潔やおいしい食べ物を作る目的に達成される。
【００１５】
第二に、必要に応じて第二開口が本体の底面又は上面又は左側面又は右側面に設置されるために、活動仕切り板が本体の上方向又は下方向又は左方向又は右方向から取り出されて、便利で柔軟に使用される。
【００１６】
第三に、位置決め部に一つの取っ手と、当取っ手に活動的に連接される一つの噛合い部と、を有し、前記噛合い部を回転して噛合い部と底部との噛合い又は分離が実現されて、当位置決め部の構造が簡単で、コストも低く、位置決めもしっかりと配置される。
【図面の簡単な説明】
【００１７】
【図１】本考案の第一の比較的好ましい実施例のトースターの活動仕切り板が取り出される状態１を示す図である。
【図２】本考案の第一の比較的好ましい実施例のトースターの活動仕切り板が取り出される状態２を示す図である。
【図３】本考案の第一の比較的好ましい実施例のトースターの位置決め部の正面の立体分解状態を示す図である。
【図４】本考案の第一の比較的好ましい実施例のトースターの位置決め部の裏面の立体分解状態を示す図である。
【図５】本考案の第一の比較的好ましい実施例のトースターの位置決め部のセクション状態１を示す図である。
【図６】本考案の第一の比較的好ましい実施例のトースターの位置決め部のセクション状態２を示す図である。
【図７】本考案の第一の比較的好ましい実施例のトースターの位置決め部のセクション状態３を示す図である。
【図８】本考案の第二の比較的好ましい実施例のトースターの立体分解状態を示す図である。
【図９】本考案の第三の比較的好ましい実施例のトースターの立体分解状態を示す図である。
【図１０】本考案の第四の比較的好ましい実施例のトースターの立体分解状態を示す図である。
【図１１】本考案の第五の比較的好ましい実施例のトースターの立体分解状態を示す図である。
【図１２】本考案の第六の比較的好ましい実施例のトースターの立体分解状態を示す図である。
【考案を実施するための形態】
【００１８】
以下、図を見ながら、本考案の具体的な実施例を説明する。
【００１９】
図１から図７までを参照されたい。トースターの第一の比較的好ましい実施例では、前記トースターに一つの本体１００と、一つの加熱筐体１１０と、一つの作業筐体と、一つの活動仕切り板１３０と、一つの位置決め部１５０とを具備する。
【００２０】
前記本体１００の内に一つの作業筐体と一つの加熱筐体１１０を有して、且つ当本体１００の一側面に一つの第一開口１２０が設けられ、当本体１００に少なくとも一つの第二開口が設けられて、また当作業筐体と当加熱筐体１１０が互いに連通する。前記本体１００の内に第二開口の個数と同じような個数の縦溝が設けられ、当縦溝が第二開口から延伸される。好ましくは、第一開口１２０に一つのガラスが設置される。
【００２１】
前記活動仕切り板１３０が透明の部材に設けられ、活動仕切り板１３０が縦溝に滑って連結されて、活動仕切り板１３０の側面が当第一開口１２０に対応されて、第一開口１２０と透明の活動仕切り板１３０によってトースターの外部からユーザーが食べ物を観察でき、ユーザーに食べ物の加熱状態を便利に了解させる。本考案の実施例において、活動仕切り板１３０が一つ設けられるけれども、必要に応じて活動仕切り板１３０の数量も調整される。また、活動仕切り板１３０が本体１００から取り出して洗えるので、健康的で、清潔でおいしい食べ物を作る目的が達成される。
【００２２】
本考案の実施例において、第二開口が本体１００の底部に設置されて、縦溝が第二開口から上方へ延伸されて且つ加熱筐体１１０の前側に設置される。活動仕切り板１３０が本体１００の底部から取り出されて、マシン全体の外観造形に影響しない。必要に応じて、第二開口が本体１００の左右両側面または上面にも設置され、活動仕切り板１３０が本体１００の上面又は左側面又は右側面から取り出される。また活動仕切り板１３０の個数が二つ設けられて且つそれぞれ加熱筐体１１０の前側と後ろ側に設置される。
【００２３】
前記位置決め部１５０が本体１００と噛み合って連結されることによって位置決めされ、または活動仕切り板１３０を支える。本考案の実施例において、前記本体１００に一つの底部１６０を有し、前記位置決め部１５０が底部１６０に噛み合って連結される。前記位置決め部１５０に一つの取っ手１５１と、当取っ手１５１に活動的に連接される一つの噛合い部１５２と、を有し、回転軸１５４が噛合い部１５２の上に設置され、前記噛合い部１５２を回転して噛合い部１５２と底部１６０との噛合い又は分離が実現される。前記活動仕切り板１３０が前記取っ手１５１に固定連接されて、本考案の実施例において、活動仕切り板１３０と取っ手１５１との間にねじ１７０で一緒に連接されて且つ取っ手１５１が活動仕切り板１３０の下に設置されて、前記噛合い部１５２がＺ形に設けられる。好ましくは、前記噛合い部１５２と前記取っ手１５１との間に一つの弾性部１５３も設けられ、ユーザーの手触り感が増加される。
【００２４】
図５から図７までを参照されたい。ユーザーは活動仕切り板１３０を外して洗う場合、噛合い部１５２だけを押したままに弾性部１５３に変形させると同時に、噛合い部１５２に回転軸１５４を回って回転させて、噛合い部１５２に底部１６０から離脱させる。この時、本体１００の底部から活動仕切り板１３０だけを引き出してよい。当位置決め部１５０の構造が簡単で、低コストで、且つ位置がしっかり決められる。前記本体１００の底面に一つの凹溝１８０も設けられ、前記位置決め部１５０が前記凹溝１８０に嵌合されて、且つ前記位置決め部１５０の底面と前記本体１００の底面がきちんと揃えられるから、全体の位置決め部１５０がトースターの底部に隠されて、マシンの全体構造の美観が保証される。
【００２５】
本考案の実施例において、活動仕切り板１３０がガラス１２０に設けられ、外部から見えると、いつでも加熱されるパンの加熱状態が分かり、ユーザーが使いやすい。好ましくは、活動仕切り板１３０と本体１００の側面との間に一つの断熱ガラス層も設けられることによって、ユーザーの火傷を防ぐため、安全性に関わる問題が避けられる。
【００２６】
図８のように、本考案のトースターの第二の比較的好ましい実施例を示す。本考案の実施例において、前記第二開口の個数が一つ設けられて本体１００の上面に設置されて、縦溝の個数も一つ設けられて第二開口から下方へ延伸され、前記活動仕切り板１３０の個数が一つ設けられ、当前記活動仕切り板１３０が本体１００の上面から取り出される。
【００２７】
図９のように、本考案のトースターの第三の比較的好ましい実施例を示す。本考案の実施例において、前記第二開口の個数が一つ設けられて本体１００の左側面に設置されて、縦溝の個数も一つ設けられて第二開口から右方へ延伸されて、前記活動仕切り板１３０の個数が一つ設けられて、当前記活動仕切り板１３０が本体１００の左側から取り出される。
【００２８】
図１０のように、本考案のトースターの第四の比較的好ましい実施例を示す。本考案の実施例において、前記第二開口の個数が一つ設けられて本体１００の右側面に設置されて、縦溝の個数も一つ設けられて第二開口から左方へ延伸されて、前記活動仕切り板１３０の個数が一つ設けられて、当前記活動仕切り板１３０が本体１００の右側から取り出される。
【００２９】
図１１のように、本考案のトースターの第五の比較的好ましい実施例を示す。本考案の実施例において、前記第二開口の個数が二つ設けられてそれぞれ本体１００の上面と底面に設置されて、縦溝の個数も二つ設けられてそれぞれ第二開口から延伸されて、前記活動仕切り板１３０の個数が二つ設けられてそれぞれ加熱筐体１１０の前側と後側に設置されて、一つの活動仕切り板１３０が本体１００の上面から取り出され、もう一つの活動仕切り板１３０が本体１００の底面から取り出される。又は、必要に応じて、当第二開口が皆本体１００の上面又は底面に設置される。
【００３０】
図１２のように、本考案のトースターの第六の比較的好ましい実施例を示す。本考案の実施例において、前記第二開口の個数が二つ設けられてそれぞれ本体１００の左側面と右側面に設置されて、縦溝の個数も二つ設けられてそれぞれ第二開口から延伸されて、前記活動仕切り板１３０の個数が二つ設けられてそれぞれ加熱筐体１１０の前側と後側に設置されて、一つの活動仕切り板１３０が本体１００の左側面から取り出され、もう一つの活動仕切り板１３０が本体１００の右側面から取り出される。又は、必要に応じて、当第二開口が皆本体１００の左側面又は右側面に設置される。又は、前記第二開口の個数が二つ設けられて、一つの第二開口が本体１００の左側面又は右側面に設置されて、もう一つの第二開口が本体１００の上面又は底面に設置される。
【００３１】
あるいは、第二開口の個数が四つ設けられてそれぞれ本体１００の上面と底面と左側面と右側面に設置されて、活動仕切り板１３０の個数が四つ設けられて、それぞれ本体１００の上面と底面と左側面と右側面から取り出される。ユーザーの必要に応じて、活動仕切り板１３０の個数と取り出し方向が柔軟に調整されて、これに限定されるものではない。
【００３２】
以上で述べたのは本考案の一つの具体的な実施の形態にすぎない。しかし、本考案のデザインアイディアはこれに限定されるものではなく、すなわち、本考案のアイディアに基づいて変形させることが可能であり、それらは本考案の範囲から排除するものではない。
【符号の説明】
【００３３】
１００  本体
１１０  加熱筐体
１２０  第一開口
１３０  活動仕切り板
１５０  位置決め部
１５１  取っ手
１５２  噛合い部
１５３  弾性部
１５４  回転軸
１６０  底部
１７０  ねじ
１８０  凹溝
【図１】
0003188000.tif 000003
【図２】
0003188000.tif 000004
【図３】
0003188000.tif 000005
【図４】
0003188000.tif 000006
【図５】
0003188000.tif 000007
【図６】
0003188000.tif 000008
【図７】
0003188000.tif 000009
【図８】
0003188000.tif 000010
【図９】
0003188000.tif 000011
【図１０】
0003188000.tif 000012
【図１１】
0003188000.tif 000013
【図１２】
0003188000.tif 000014